(57)【要約】【課題】貯蔵室に貯蔵された貯蔵物を単回供給分ずつ外部へ供給する供給装置において、新しい供給装置の準備が必要な時点を把握しやすく、残量の把握において正確性、客観性、経時性、直感性を併せ持ち、かつ汎用性に優れるカウンタ機構を提供すること。【解決手段】１回の供給操作に連動して供給操作回数１回分を示す１表示分だけ動く可動部と、可動部を覆い、且つ可動部の一部を視認できるように窓が設けられた可動部収容部材とを備え、供給操作に応じて可動することによって窓から視認できる可動部の表示範囲は、異なる複数の色によって着色され、供給操作に応じて窓から表示される色が変化し、貯蔵物の少なくとも残量３日分以降の表示分に相当する範囲は赤色に着色されている表示手段を備えするカウンタ機構。【選択図】図２
0003155905.tif 000002
【実用新案登録請求の範囲】
【請求項１】
貯蔵室に貯蔵された貯蔵物を単回供給分ずつ外部へ供給する供給装置の、貯蔵物の残量を表示するためのカウンタ機構の表示手段であって、表示手段が、１回の供給操作に連動して供給操作回数１回分を示す１表示分だけ動く可動部と、可動部を覆い、且つ可動部の一部を視認できるように窓が設けられた可動部収容部材とを備え、供給操作に応じて可動することによって窓から視認できる可動部の表示範囲は、異なる複数の色によって着色され、供給操作に応じて窓から表示される色が変化し、貯蔵物の少なくとも残量３日分以降の表示分に相当する範囲は赤色に着色されている表示手段。
【請求項２】
可動部の表示範囲が、供給操作に応じて窓から表示される順に、青（または緑）、黄、赤の順番に着色されている請求項１記載の表示手段。
【請求項３】
可動部の表示範囲に、さらに供給可能回数が特定の間隔で印字されており、その間隔が、供給可能回数として、青の着色部分において１０回分間隔、黄及び赤の着色部分において５回分間隔であり、印字された供給可能回数の数字の一部が、窓から常に視認できる請求項２記載の表示手段。
【請求項４】
請求項１〜３のいずれかに記載の表示手段を備えるカウンタ機構。
【請求項５】
請求項４に記載のカウンタ機構を備える供給装置。
【考案の詳細な説明】
【技術分野】
【０００１】
本考案は、粉末あるいは液体等を供給する供給装置の、貯蔵物の残量を表示するためのカウンタ機構に関し、さらに詳しくはカウンタ機構を構成する表示手段に関する。
【背景技術】
【０００２】
粉末あるいは液体等貯蔵物を供給する供給装置において、貯蔵物の残量を表示するためのカウンタ機構として、様々な物が知られている。代表的なものは使用回数に対応する数字が表示されるものであり、例えば特許文献１に記載されている。しかし、単なる数字による表示は、残量を投与回数として正確に把握できるという点では利点を有するが、数字を読み取ることが必要なので残量の直感的な把握が容易とはいえず、また数字の表示サイズを供給装置の表示部に適合するように小さくしなければならない場合、読み取り自体が困難となる可能性がある。
【０００３】
特許文献２には、使用回数に応じて着色領域の幅が変化するカウンタ機構が記載されている。これは、数字による表示に対し直感的に残量を把握できるという利点を有すると考えられるが、表示が相対的である点で残量把握の正確性が不十分で、また把握は主観的で個人差も考えられ、関連して新しい供給装置の準備が必要な時点の把握には不十分であった。
【０００４】
また特許文献３には、貯蔵物の残量が予め定めたレベルに達すると供給装置に組み込まれたマイクロ電子手段によって信号を発信するカウンタ機構が記載されている。これは、新しい供給装置の準備が必要な時点の把握をもたらすものではあるが、マイクロ電子手段が高価という問題がある。
【０００５】
特許文献４には、指針・ゲージ式のカウンタ機構が記載され、数字の目盛りに加えて残りの回数がわずかであることを知らせるべく色付きの警報領域を設けることが望ましいことが記されている。これも、新しい供給装置の準備が必要な時点の把握をもたらすものではあるが、それよりも初期の満杯状態に対する相対的な状態の把握に重きがあると考えられ、また指針・ゲージ全体を表示するため、大きさと供給装置の形状が制限されるという汎用性の点で欠点を有する。
【０００６】
特許文献５には、使用回数に応じて移動するラックの色々な部分に色々な色で印をつけ、例えば赤い部分が窓を通して表示されるときには患者が新しい容器を得なければならないことを知ることが出来ると記載されている。これも新しい供給装置の準備が必要な時点の把握をもたらすものではあるが、色や着色部分の領域範囲、ひいては色の配列等具体的な構成は記載されていないし、残量把握の正確性や客観性の観点で数字による表示に劣り不十分であった。
【先行技術文献】
【特許文献】
【０００７】
【特許文献１】特表２００９−５０８６１４号公報
【特許文献２】特開２００７−１３０１３１号公報
【特許文献３】特開平９−１６８５９３号公報
【特許文献４】特表２００８−５０４９２４号公報
【特許文献５】特開昭６３−３５２６５号公報
【考案の概要】
【考案が解決しようとする課題】
【０００８】
本考案の目的は、貯蔵室に貯蔵された粉末あるいは液体等の貯蔵物を単回供給分ずつ外部へ供給する供給装置において、新しい供給装置の準備が必要な時点を把握しやすくする表示手段を備えるカウンタ機構を提供することにある。本考案の目的は、さらに残量の把握において正確性、客観性、経時性、直感性を併せ持ち、かつ汎用性に優れるカウンタ機構を提供することにある。
【課題を解決するための手段】
【０００９】
本考案者は、このような目的を達成するために鋭意研究した結果、１回の供給操作に連動して、供給操作回数１回分を示す１表示分だけ動く可動部と、可動部の一部を外部から視認できるようにした窓を備える表示手段において、供給操作に応じて窓から視認できる可動部の表示範囲を、供給操作に連動して窓から表示される順に、青（または緑）、黄、赤の順番に着色し、貯蔵物の残量が減るに従って、視認できる色が経時的にこの順番で変化するようにし、赤の着色範囲を、貯蔵物の残量３日分以降の表示に相当する範囲とすることによって、本考案の目的が達成されることを見出し、本考案を完成するに至った。
【００１０】
すなわち、本考案は以下のものに関する。
（１）  貯蔵室に貯蔵された貯蔵物を単回供給分ずつ外部へ供給する供給装置の、貯蔵物の残量を表示するためのカウンタ機構の表示手段であって、表示手段が、１回の供給操作に連動して供給操作回数１回分を示す１表示分だけ動く可動部と、可動部を覆い、且つ可動部の一部を視認できるように窓が設けられた可動部収容部材とを備え、供給操作に応じて可動することによって窓から視認できる可動部の表示範囲は、異なる複数の色によって着色され、供給操作に応じて窓から表示される色が変化し、貯蔵物の少なくとも残量３日分以降の表示分に相当する範囲は赤色に着色されている表示手段。
（２）  可動部の表示範囲が、供給操作に応じて窓から表示される順に、青（または緑）、黄、赤の順番に着色されている（１）記載の表示手段。
（３）  可動部の表示範囲に、さらに供給可能回数が特定の間隔で印字されており、その間隔が、供給可能回数として、青（または緑）の着色部分において１０回分間隔、黄及び赤の着色部分において５回分間隔であり、印字された供給可能回数の数字の一部が、窓から常に視認できる（２）記載の表示手段。
（４）  （１）〜（３）のいずれかに記載の表示手段を備えるカウンタ機構。
（５）  （４）に記載のカウンタ機構を備える供給装置。
【考案の効果】
【００１１】
本考案によれば、新しい供給装置の準備が必要な時点を把握しやすくする表示手段を備えるカウンタ機構、さらに残量の把握において正確性、客観性、経時性、直感性を併せ持ち、かつ汎用性に優れたカウンタ機構を得ることが出来る。
このことにより、新しい供給装置による貯蔵物の供給開始を確実に誘導することができ、例えば貯蔵物が医薬品の場合、投薬を途切れることなく継続して行うことができる。また、残量を正確に、客観的に、経時性を持って、かつ直感的に把握ができるので、使用者は安心して供給装置を使うことができ、従って確実な効果や使用者のコンプライアンスの向上が達成される。
【図面の簡単な説明】
【００１２】
【図１】国際公開第ＷＯ２００６／０１６７２６号パンフレットに開示されている供給装置のカウンタ機構である。
【図２】本考案のカウンタ機構の一例である。供給回数に応じて変化する態様を示す。
【考案を実施するための形態】
【００１３】
以下に、本考案の具体例について、図面を参照しながら更に詳細に説明する。
本考案のカウンタ機構の表示手段は、貯蔵室に貯蔵された貯蔵物を、単回供給分ずつ外部へ供給する供給装置のカウンタ機構に適用され、供給操作に連動して動き、残量表示部として一定範囲の着色が可能な可動部と、可動部を覆い、可動部の一部を供給操作に応じて外部から視認できるようにした窓を有する可動部収容部材とを備えるものであればいずれでも適用可能である。具体的には、例えば国際公開第ＷＯ２００６／０１６７２６号パンフレットに開示されている供給装置が挙げられ、その一例を本件明細書において引用して説明する（図１）。図１において、１回の供給操作の間に、リング部材３０の弾性部３１の爪３２が歯車２０（本考案においては可動部１）に係合して歯車２０（可動部１）の目盛り１コマのみ回転される。そして、その歯車２０（可動部１）の回数表示を、例えば回転部材４０（本考案においては可動部収容部材２）の窓４７（本考案においては窓３）から見ることができる。
【００１４】
図２は、本考案のカウンタ機構の表示手段の一例で、１日あたりの供給回数が４回で、１供給装置あたりの供給回数が６０回すなわち１５日分の貯蔵物を貯蔵する供給装置の表示手段を示す。図２中、１は可動部を、２は可動部収容部材を、３は窓を示し、かかる可動部１において、使用から１０日分（４０回）の供給操作に該当する部分は青または緑に着色され、次の２日分（８回）の供給操作に該当する部分は黄に着色され、残り３日分（１２回）の供給操作に該当する部分は赤に着色されている。なお、図２は便宜上、青（または緑）の着色部分は黒、黄の着色部分は薄いグレー、赤の着色部分は濃いグレーで表している。
【００１５】
この可動部１は、可動部収容部材２にそのほとんどが覆われているが、その一部は、窓３を介して外部から視認することができる。そして、可動部の、可動部が可動したならば窓から視認できる全ての位置は、異なる複数の色によって着色されており、貯蔵物の少なくとも残量３日分以降の表示分に相当する範囲は赤色に着色されている。一方、可動部１は、カウンタ機構によって、窓３の位置に対して１回の供給操作に連動して供給操作１回分を示す１表示分だけ動く。したがって、供給操作に応じて、窓３を介して視認できる可動部の色は徐々に変化する。例えば、青（または緑）、黄、赤で着色され、順に変化すると、この色の配列は、信号機の色変化と同じであり、前記特許文献４あるいは５に開示されているような残量が僅かになったカウント数領域のみ赤色で表示するものよりも、残量変化を経時的かつ直感的に把握することができる。
【００１６】
なお１回の供給操作に対応する可動部の動きの程度と窓の大きさのバランスによっては、窓を介して視認できる色が２色となる供給操作回数がある（図２中、９、１０、１２、１３日目）。また、図２のように可動部が円状の場合、視認できる色が赤と青の２色となる供給操作回数もある（図２：１、１５日目）。ただしいずれの場合でも、供給操作回数に応じたカウント数に該当する色は１色であり、これはカウント数領域を何らかの印（例えば、窓に印字あるいは刻印等しカウント数位置を示すように設けた指針）で指し示すようにすることで視認できる。
可動部の着色は、窓を介して視認できる領域全体が好ましいが、窓を介してカウント数に対応する色が視認できれば部分的でも良い。
【００１７】
本考案は、少なくとも残量３日分以降の表示分に相当する領域を赤色に着色している。このことにより、例えば継続投与が必要な医薬品の場合に、金曜日の診療時間終了後に窓からの表示が赤色になった場合でも、残量として、休診日である土曜日及び日曜日と、次の診療日である月曜日までの供給分（１２回分）の貯蔵があるので、供給が途切れることなく継続して行うことができる。
【００１８】
本考案は、可動部の表示範囲に、さらに供給可能回数が特定の間隔で印字され、その間隔が、供給操作回数として、青の着色部分において１０回分間隔、黄及び赤の着色部分において５回分間隔であり、印字された供給可能回数の数字の一部が、窓から常に視認できるようにしている。例えば、図２では、カウント数に対応する数が供給可能回数で、１日目は６０が、２日目は６０の一部と５０の一部が、７日目は３０の一部が、９日目は３０と２０の一部が、１１日目は２０と１５が、視認できる。供給可能回数の数字全て印字すると、数字の大きさが小さくなり読み取り自体が困難となり、逆に数字を表示しないと残量の数としての正確あるいは客観的な把握が困難となる。しかし、このように特定間隔で供給可能回数の一部が窓から視認できるように印字することにより、表示サイズを維持したまま数字として残量を視認できる。
【産業上の利用可能性】
【００１９】
本考案によれば、貯蔵室に貯蔵された粉末あるいは液体等の貯蔵物を単回供給分ずつ外部へ供給する供給装置において、新しい供給装置の準備が必要な時点を把握しやすくする表示手段を備えるカウンタ機構、さらに残量の把握において正確性、客観性、経時性、直感性を併せ持ち、かつ汎用性に優れたカウンタ機構を得ることが出来る。
【符号の説明】
【００２０】
１  可動部
２  可動部収容部材
３  窓
【図１】
0003155905.tif 000003
【図２】
0003155905.tif 000004
【手続補正書】
【提出日】平成21年10月6日(2009.10.6)
【手続補正１】
【補正対象書類名】実用新案登録請求の範囲
【補正対象項目名】全文
【補正方法】変更
【補正の内容】
【実用新案登録請求の範囲】
【請求項１】
貯蔵室に貯蔵された貯蔵物を単回供給分ずつ外部へ供給する供給装置の、貯蔵物の残量を表示するためのカウンタ機構の表示手段であって、表示手段が、１回の供給操作に連動して供給操作回数１回分を示す１表示分だけ動く可動部と、可動部を覆い、且つ可動部の一部を視認できるように窓が設けられた可動部収容部材とを備え、供給操作に応じて可動することによって窓から視認できる可動部の表示範囲は、異なる複数の色によって着色され、供給操作に応じて窓から表示される色が変化し、貯蔵物の少なくとも残量３日分以降の表示分に相当する範囲は赤色に着色されている表示手段。
【請求項２】
可動部の表示範囲が、供給操作に応じて窓から表示される順に、青または緑、黄、赤の順番に着色されている請求項１記載の表示手段。
【請求項３】
可動部の表示範囲に、さらに供給可能回数が特定の間隔で印字されており、その間隔が、供給可能回数として、青の着色部分において１０回分間隔、黄及び赤の着色部分において５回分間隔であり、印字された供給可能回数の数字の一部が、窓から常に視認できる請求項２記載の表示手段。
【請求項４】
請求項１〜３のいずれかに記載の表示手段を備えるカウンタ機構。
【請求項５】
請求項４に記載のカウンタ機構を備える供給装置。